(57)【要約】【課題】意匠性、保守性を考慮した上で、乗場側から光源を点検できる構造を備えた三方枠組込ホールランタンを得る。【解決手段】エレベータの乗場（１）に設けられた三方枠（３、４）内に設けられた光源（９）と、三方枠の開口部（７）に固定され、光源から照射される光を透過するアクリルパネル（８）とを備え、アクリルパネルは、三方枠の開口部に固定されることで三方枠の一部を構成するとともに、乗場とかごの出入口方向に対して乗場側にスライドさせることで開閉可能なスライド機構（１３）を有する。【選択図】図２
2015036313.tif 000002
【特許請求の範囲】
【請求項１】
エレベータの乗場に設けられた三方枠内に設けられた光源と、
前記三方枠の開口部に固定され、前記光源から照射される光を透過するアクリルパネルと
を備え、
前記アクリルパネルは、前記三方枠の前記開口部に固定されることで前記三方枠の一部を構成するとともに、前記乗場とかごの出入口方向に対して乗場側にスライドさせることで開閉可能なスライド機構を有する
三方枠組込のホールランタン。
【請求項２】
請求項１に記載の三方枠組込のホールランタンにおいて、
前記スライド機構によりスライドする前記アクリルパネルを保持する落下防止機構をさらに備え、
前記落下防止機構は、前記アクリルパネルをスライドすることで形成される前記アクリルパネルと前記三方枠との隙間から工具を挿入することにより保持状態の解除が可能であり、前記保持状態が解除されることで前記アクリルパネルの取外しを可能とする
三方枠組込のホールランタン。
【発明の詳細な説明】
【技術分野】
【０００１】
本発明は、エレベータの乗場に設置され、位置表示の役割を果たす三方枠組込ホールランタンに関し、特に、保守点検に適した構造を有する三方枠組込ホールランタンに関する。
【背景技術】
【０００２】
従来の三方枠組込ホールランタンとしては、開閉パネルが乗場側に開くように、三方枠の乗場側面内に蝶番が配置されており、三方枠と開閉パネルとの間の間隙を通して挿入できる工具によって、開閉パネルを閉位置に保持する施錠装置を開操作できるものがある（例えば、特許文献１参照）。これにより、ホールランタンの保守点検作業が、乗場側からできるという効果が得られる。
【先行技術文献】
【特許文献】
【０００３】
【特許文献１】特開２０１１−００１１７６号公報
【発明の概要】
【発明が解決しようとする課題】
【０００４】
しかしながら、従来技術には、以下のような課題がある。
特許文献１による三方枠組込ホールランタンの点検方法では、開操作を行う工具を挿入する必要があるため、開閉させるための三方枠に設ける隙間が、その挿入空間分、大きくなってしまう。この結果、分割線による意匠性の低下、および光漏れの問題があるとともに、解錠ロッドなどの専用工具が必要になるといった問題があった。
【０００５】
本発明は、前記のような課題を解決するためになされたものであり、意匠性、保守性を考慮した上で、乗場側から光源を点検できる構造を備えた三方枠組込ホールランタンを得ることを目的とする。
【課題を解決するための手段】
【０００６】
本発明に係る三方枠組込ホールランタンは、エレベータの乗場に設けられた三方枠内に設けられた光源と、三方枠の開口部に固定され、光源から照射される光を透過するアクリルパネルとを備え、アクリルパネルは、三方枠の開口部に固定されることで三方枠の一部を構成するとともに、乗場とかごの出入口方向に対して乗場側にスライドさせることで開閉可能なスライド機構を有するものである。
【発明の効果】
【０００７】
本発明によれば、三方枠の一部であるアクリルパネルがスライドして、三方枠を開閉可能にする機構を備えることにより、意匠性、保守性を考慮した上で、乗場側から光源を点検できる構造を備えた三方枠組込ホールランタンを得ることができる。
【図面の簡単な説明】
【０００８】
【図１】本発明の実施の形態１におけるエレベータの乗場の概略正面図である。
【図２】本発明の実施の形態１における三方枠組込ホールランタンの部分概略側面図である。
【図３】本発明の実施の形態１における三方枠組込ホールランタンに用いられるアクリルの取付構造に関する部分詳細図である。
【図４】本発明の実施の形態１における三方枠組込ホールランタンの部分概略断面図である。
【図５】本発明の実施の形態１におけるエレベータのホールランタンの取外し方法を説明するための縦枠の構造を示す図である。
【図６】本発明の実施の形態１におけるアクリルの挿入、取外し時の様子を示した縦断面図である。
【図７】本発明の実施の形態１におけるアクリルの挿入、取外し時の様子を示した部分概略詳細図である。
【図８】本発明の実施の形態１における三方枠組込ホールランタンに用いられるガイド構造の詳細図である。
【図９】本発明の実施の形態１における三方枠組込ホールランタンのアクリルに用いられる落下防止機構を説明するための部分概略断面図である。
【図１０】本発明の実施の形態１における三方枠組込ホールランタンのアクリルに用いられる落下防止機構を説明するための部分概略側面図である。
【図１１】本発明の実施の形態１の図１０におけるＤ部の詳細図である。
【発明を実施するための形態】
【０００９】
以下、本発明の三方枠組込ホールランタンの好適な実施の形態につき図面を用いて説明する。
【００１０】
実施の形態１．
図１は、本発明の実施の形態１におけるエレベータの乗場の概略正面図である。この図１において、エレベータ乗場１は、乗場壁２に取り付けられている縦枠３および上枠４で構成される三方枠、および乗場の扉５を備えて構成されている。三方枠の縦枠３には、乗場１の乗客への位置表示灯としての役割を果たすホールランタン６が設けられている。
【００１１】
図２は、本発明の実施の形態１における三方枠組込ホールランタンの部分概略側面図であり、先の図１におけるＡ−Ａ断面から見た側面図である。エレベータの三方枠に組込まれているホールランタン６は、図２に示すように、縦枠３の一部を切り開いて開口７を設けて取り付けられている。開口７にアクリルパネル８（以下、単にアクリル８と称す）を挿入し、縦枠３内部からＬＥＤやランプ等の光源９がアクリル８を通過することにより、乗場の位置表示が行われる。ここで、アクリル８は、挿入、取外し式の構成となっており、鋼板等をＬ字形に形成したアクリル取付板１０を用いて、挿入、取外しが行われる。
【００１２】
図３は、本発明の実施の形態１における三方枠組込ホールランタンに用いられるアクリルの取付構造に関する部分詳細図である。アクリル８は、図３に示すような削り加工が施されており、アクリル取付板１０側に設けられた取付用ネジを、この加工された溝にはめ込むようにして取り付けられる。
【００１３】
図４は、本発明の実施の形態１における三方枠組込ホールランタンの部分概略断面図であり、先の図２におけるＢ−Ｂ断面図に相当する。アクリル取付板１０を縦枠３の開口７に固定させるには、図４に示すような位置にアクリルパネルを固定させるための保持金具が必要となる。そこで、本実施の形態１では、このような保持金具として固定装置１１を備えることで、アクリル８を開口７に固定させることを可能としている。
【００１４】
次に、本発明における三方枠組込ホールランタンの着脱構造について説明する。図５は、本発明の実施の形態１におけるエレベータのホールランタン６の取外し方法を説明するための縦枠３の構造を示す図であり、先の図１におけるＡ−Ａ断面から見た図である。アクリル８の交換、および光源９の保守点検を行う際のアクリル８の取外しは、アクリル８を開後に、縦枠３の前方および側面から行うことができる構成となっている。
【００１５】
図６は、本発明の実施の形態１におけるアクリル８の挿入、取外し時の様子を示した縦断面図である。また、図７は、本発明の実施の形態１におけるアクリル８の挿入、取外し時の様子を示した部分概略詳細図である。アクリル８は、図６、図７に示すように、斜めに挿入を行うことで閉操作が可能となる。これは、位置決めの効果を得るために、アクリル８の削り加工にテーパーが掛っており、溝に沿ってアクリル８を取付けようとする際、斜めに挿入する形となるためである。
【００１６】
また、本実施の形態１では、乗場壁２に三方枠が固定され、アクリル８の閉時に乗場壁２によって周囲が塞がれるため、アクリル８の開閉には、例えば、図６、図７に示したような吸盤２１を備えたフックを使用することにより、開閉操作が可能となる。
【００１７】
図８は、本発明の実施の形態１における三方枠組込ホールランタンに用いられるガイド構造の詳細図であり、（ａ）はガイド１３を含むガイド構造の部分詳細図、（ｂ）はガイド１３のみの部分詳細図、をそれぞれ示している。図２に示した縦枠３の内部には、アクリル８が位置決めの効果を得られるように、ガイド１３とガイド取付金１４が取り付けられている。アクリル８の上面、下面に削り加工を施すことで、ガイド１３がスライドしていく機構が得られる。また、上下のガイドを設けることで、アクリル閉時の、上下のブレがなくなる。このようなスライド機構を備えることで、アクリル８は、乗場とかごの出入口方向に対して乗場側にスライドさせることで開閉可能となる。
【００１８】
次に、本発明における三方枠組込ホールランタンの保持構造について説明する。
縦枠３の内面には、固定装置１１取付用の取付金が設けられている。固定装置１１は、各種キャッチ類（マグネットキャッチ、ローラーキャッチ、ボールキャッチ等）にあたり、アクリル取付板１０には、固定装置受側１９が取り付けられている（図５参照）。
【００１９】
このような固定装置受側１９が取り付けられたアクリル取付板１０と固定装置１１とを組み合わせることによって、アクリル８の固定が可能になる。マグネットキャッチは、磁気吸着力によって固定装置受側１９とアクリル取付板１０を保持できるようになる。また、ローラーキャッチ、ボールキャッチを用いた場合には、固定装置受側１９との接触部がローラー、ボール状である固定装置１１に対して、アクリル取付板１０の固定装置受側１９が挿入、取外し時に接触移動することにより、保持できるようになる。また、アクリル取付板１０を取外しする際には、固定装置１１によって保持されている力が一定値を超えると取外しが可能となる仕組みとなっている。
【００２０】
ボックス１５の内部には、板金加工で形成された、光源取付板１２によって光源９（ＬＥＤランプ等）が取り付けられている。保守点検の際は、光透過性パネルであるアクリル８が閉状態から、開状態になることで、光源９へのアクセスが可能となる。
【００２１】
次に、アクリル８の落下防止機構について説明する。図９は、本発明の実施の形態１における三方枠組込ホールランタンのアクリル８に用いられる落下防止機構を説明するための部分概略断面図であり、（ａ）はアクリル８が開閉途中の状態、（ｂ）は、アクリル８が開状態、そして（ｃ）は図９（ａ）に示したアクリル８が開閉途中の状態におけるパネル部の詳細、をそれぞれ示している。
【００２２】
また、図１０は、本発明の実施の形態１における三方枠組込ホールランタンのアクリル８に用いられる落下防止機構を説明するための部分概略側面図であり、先の図１におけるＣ−Ｃ断面から見た側面図である。さらに、図１１は、本発明の実施の形態１の図１０におけるＤ部の詳細図であり、（ａ）はアクリル８が閉状態、（ｂ）はアクリル８が開閉途中の状態、（ｃ）はアクリル８が開状態、をそれぞれ示している。
【００２３】
図９〜図１１に示すように、縦枠３内部にはアクリル８の落下防止機構として、バネ１７がアクリル取付板１０に取付けられている。アクリル８が閉位置に移動した際のバネ１７は、バネ固定用スタッド１８にバネの面が自然と掛る構造となっており、ロック機能として機能する。アクリル固定時のバネ１７には、バネの穴部に、バネ固定用のスタッド１８が配置されている。
【００２４】
ガイド１３に沿ってアクリル８が開放される際には、バネ固定用のスタッド１８にバネ１７の穴部が掛る構造となっている。開放状態に移動するアクリル８は、バネ１７のＵ字溝部に引っ掛かり、図１１（ｂ）のようなアクリル開放途中でロックが掛る構造となっている。
【００２５】
一方、解除方法としては、直尺（薄板状のモノ）でバネ部を押すことにより、バネが固定用スタッドから外れ、アクリルが開放状態となる。
【００２６】
これらの構成を備えることで、本発明では、乗場からホールランタンの保守点検作業を行うことができるので、昇降路内に入る必要がなくなり、点検時の作業効率の向上、および安全性の向上を図ることができる。また、バネ１７解除用の間隙も、アクリル８を移動させることにより確保できるため、縦枠３の意匠面には、アクリル８に対しての切欠きを施すだけで、ホールランタン６を備えることができる。さらに、開口寸法等の建築への取り合いが緩和されることにより、ホールランタン６の取付位置に関しても、設計の自由度が高くなる。
【００２７】
以上のように、実施の形態１によれば、三方枠の一部であるアクリルがスライドして、三方枠を開閉可能にする機構を備えている。さらに、固定装置を備えることで、アクリルを閉位置に保持することを可能としている。このように、三方枠の一部がスライドする機構を備えることで、エレベータの乗場側から光源およびアクリルの交換等の保守点検作業を容易に行うことができ、作業効率の改善を行うことができる。
【００２８】
また、スライド機構を簡略化し、意匠面側への影響を少なくすることで、光漏れ対策も容易となる。さらに、三方枠内に固定装置を備えることで、アクリルを閉位置に保つことができ、意匠性に優れたエレベータのホールランタンを実現できる。
【００２９】
さらに、アクリルに落下防止装置が取り付けられており、アクリルをスライドさせることで形成される隙間から工具を挿入することにより、落下防止装置を解除することで、アクリルの取外しが可能となっている。このように、三方枠内に落下防止装置を備えることで、アクリルのスライド開閉途中に落下防止装置が効き、アクリルが完全に外れるのを防ぐことができる。また、アクリル開状態時に、落下防止装置を解除することで、容易にアクリルを取外すことが可能となる。この際には、簡易な形状である工具を用いることで、アクリルの取外しをスムーズにすることができる。
【符号の説明】
【００３０】
１  乗場、２  乗場壁、３  縦枠、４  上枠、５  扉、６  ホールランタン、７  開口（開口部）、８  アクリル（アクリルパネル）、９  光源、１０  アクリル取付板、１１  固定装置、１２  光源取付板、１３  ガイド、１４  ガイド取付金、１５  ボックス、１６  遮光板、１７  バネ、１８  バネ固定用スタッド、１９  固定装置受側、２０  固定板、２１  吸盤。
【図１】
2015036313.tif 000003
【図２】
2015036313.tif 000004
【図３】
2015036313.tif 000005
【図４】
2015036313.tif 000006
【図５】
2015036313.tif 000007
【図６】
2015036313.tif 000008
【図７】
2015036313.tif 000009
【図８】
2015036313.tif 000010
【図９】
2015036313.tif 000011
【図１０】
2015036313.tif 000012
【図１１】
2015036313.tif 000013